(57)【特許請求の範囲】
【請求項１】
魚釣りに用いる釣竿であって、竿体と、前記竿体の周面に配置されたリールシートと、前記リールシートの穂先側に隣接して前記竿体周面に設けられた保護シートとを備え、
前記保護シートは前記竿体の径外方向に隆起した隆起部分上に配置され、釣人の指が当接する登頂部分は、竿体の径方向に凹入する窪み部が設けられている釣竿。
【請求項２】
前記リールシートは、リールの脚部を載置可能な載置部と、前記載置部の穂先側に形成された固定フードと、前記載置部上に長手方向に滑動自在に配置された移動フードとを有し、前記隆起部分は前記固定フードであり、保護シートは前記固定フードの上周面に配置されている、請求項１に記載の釣竿。
【発明の詳細な説明】
【０００１】
【発明の属する技術分野】
本発明は魚釣りに用いる釣竿、特にリールを装着して用いる釣竿に関する。
【０００２】
【従来の技術】
従来の釣竿は、竿体と、竿体の竿元側端部に固定されたグリップと、グリップの穂先側に形成されリールを固定可能なリールシートと、竿体上に所定の間隔を隔てて設けられた複数の糸通しガイドとを有している。
この種の釣竿では、リールの脚部をリールシートに取り付けて固定し、リールからの釣糸を糸通しガイドに順次挿通して穂先側に導く。そして、キャスティング，リトリーブ等の操作を行う。この際、釣人はリールの脚部を指の間に挟みながらリールシート付近を一方の手で把持し、リールからの釣糸を人差し指で竿体との間に挟み込んで、リールからの釣糸の繰出加減等を調整する。
【０００３】
【発明が解決しようとする課題】
釣糸をリールから繰り出しまたは巻き取る際に人差し指と竿体との間で釣糸を挟み込む従来の釣竿では、釣糸，竿体及び釣人の人差し指に大きな負担がかかり、釣糸と竿体との接触により竿体と釣糸とが互いに損傷しあうことになる。特に、比較的径の細い釣糸を用いて釣りをおこなう際には、釣糸への負担が大きい。
【０００４】
本発明の課題は、釣糸，竿体及び釣人の指への負担が小さい釣竿を提供することにある。
【０００５】
【課題を解決するための手段】
発明１にかかる釣竿は、魚釣りに用いる釣竿であって、竿体と、竿体の周面に配置されたリールシートと、リールシートの穂先側に隣接して竿体周面に設けられた保護シートとを備え、保護シートは竿体の径外方向に隆起した隆起部分上に配置され、釣人の指が当接する登頂部分は、竿体の径方向に凹入する窪み部が設けられている。この釣竿では、釣人はリールシートにリールを取り付け、このリールシートの取り付けたリールの脚部を指の間に挟みながらリールシート付近を一方の手で把持する。そして、リールからの釣糸を人差し指で竿体周面の保護シートとの間に挟み込んで、リールからの釣糸の繰出加減等を調整する。この際、保護シートがクッションとして釣糸，竿体及び釣人の指にかかる負担を軽減する。また、隆起部分上に保護シートが配置されており、釣人が指で釣糸を安定して挟み込み易く、竿体の径方向に凹入する窪み部を設けることで、さらに釣糸を保護シート上に挟みやすく操作性も向上する。
【０００６】
発明２にかかる釣竿は、発明１の釣竿であって、リールシートは、リールの脚部を載置可能な載置部と、載置部の穂先側に形成された固定フードと、載置部上に長手方向に滑動自在に配置された移動フードとを有している。そして、隆起部分はこの固定フードであり、保護シートは固定フードの上周面に配置されている。
【０００７】
この場合には、竿体の径外方向に隆起するリールシートの固定フード上に保護シートが配置されており、リールからの釣糸を人差し指で保護シートとの間に挟み込み易く、操作性が向上する。
【０００９】
【発明の実施の形態】
以下、本発明の一実施形態について図面を参照しつつ説明する。
本発明の一実施実施形態を採用した釣竿は、筒状の元竿１と、元竿１の穂先側に元竿１内に順次収納可能に連結された複数の筒状の竿体からなる竿体ユニット２と、元竿１の竿元側端部に固定された竿元グリップ３と、元竿１の竿元グリップ３の穂先側に形成されリール４を装着可能なリールシート５と、リールシート５の穂先側に固定された前グリップ６とを有している。また、前グリップ６の穂先側の元竿１には糸通しガイド７が配置されており、糸通しガイド７の穂先側の元竿１の周面には糸導入孔８形成されている。そして、リール４からの釣糸は、糸通しガイド７を通って糸導入孔８から元竿１及び竿体ユニット２内に導入され、穂先側先端から外部に導かれている。
【００１０】
図２に示すように、リールシート５はパイプ状の部材である。リールシート５は、熱可塑性樹脂からなる本体部１１と、本体部１１上に長さ方向に設けられた金属製のレール部１２と、レール部１２の穂先側に本体部１１と一体で形成された熱可塑性樹脂からなる固定フード１３と、レール部１２上を長さ方向に移動可能な可動フード１４と、可動フード１４に設けられ可動フード１４の位置決めを行うロック部材１５とを有している。この本体部１１及び固定フード部１３は、熱可塑性樹脂の熱収縮によって元竿１の周面に固定されたものである。そして、このリールシート５は、固定フード１３と可動フード１４との間の本体部１１上にリール５の脚部を載せて、可動フード１４を移動させて、リール５の脚部を固定フード１３及び可動フード１４で挟み込んで固定するように形成されている。
【００１１】
また、このリールシート５の固定フード１３上周面には保護シート１６が配置されている。保護シート１６は固定フード１３の外形にあわせて長手方向に長く延びる略矩形型の部材であり、例えば、EVA樹脂やウレタン樹脂等の合成樹脂やコルク材等によって形成されている。その厚さは任意に設定可能であるがおよそ２〜５mm程度であり、長手方向長さは固定フード１３にあわせて３０〜５０mm程度に設計される。さらに、この保護シート１６は長手方向に間隔を隔てて幅方向に延びる複数の突起１７が一体的に形成されている。
【００１２】
このように構成された釣竿では、釣人はリールシート５にリール４を取り付け、図３に示すように、このリールシート５の取り付けたリール４の脚部を指の間に挟みながらリールシート５付近を一方の手で把持する。そして、リール４からの釣糸Ｌを人差し指で固定フード１３上の保護シート１６に挟み込んで、リール４からの釣糸Ｌの繰出加減等を調整する。保護シート１６は竿体１の径外方向に隆起するリールシート５の固定フード１３上に配置されており、リール４からの釣糸Ｌを挟み込み易く操作性がよい。そしてこの際、保護シート１６がクッションとして釣糸Ｌ，竿体１及び釣人の指にかかる負担を軽減する。また、保護シート１６には複数の突起１７が形成されており、釣糸Ｌと保護シート１６との接触面積を軽減し、釣糸Ｌへの負担がさらに小さい。
【００１３】
［他の実施形態］
（ａ）図４に示すような保護シート２６をリールシート５の固定フード１３上に固定してもよい。この保護シート２６は、上記実施形態と同様に、EVA等の合成樹脂からなり、竿体１の長手方向に長い楕円型形状をなしている。図５に詳しく示すように、保護シート２６に釣人の指が当接する登頂部分は、竿体１の径内方向にやや凹入するような窪み部２６ａが設けられている。
【００１４】
このような窪み部２６ａを設けることで、さらに釣糸Ｌを保護シート２６上に挟みやすく操作性も向上する。
【００１５】
【発明の効果】
本発明によれば、釣糸，竿体及び釣人の指への負担を軽減可能である。
【図面の簡単な説明】
【図１】本発明の一実施形態を採用した釣竿の全体図。
【図２】図１のリールシート付近の拡大図。
【図３】図１の釣竿を釣人が把持する状態を示した図。
【図４】本発明の他の実施形態を採用した釣竿のリールシート付近を示した図。
【図５】図４のV−V断面図。
【符号の説明】
１  元竿
２  竿体ユニット
４  リール
５  リールシート
１６，２６  保護シート
１６ａ  突起部
【図１】
0004371255.tif 000002
【図２】
0004371255.tif 000003
【図３】
0004371255.tif 000004
【図４】
0004371255.tif 000005
【図５】
0004371255.tif 000006